(57)【要約】【課題】    本発明の目的は、ケーブル結合体の本体への組み込み作業の容易化と隣接する芯線同士の接触防止を図ったコネクタを提供するものである。【解決手段】    コネクタＦは、複数のケーブルＣ１、Ｃ２、Ｃ３、Ｃ４の芯線の先端を接続する複数の接続部２１、２１、２１、２１と、複数のコンタクト部２２、２２、２２、２２を有するケーブル結合体２と、このケーブル結合体２を収納する本体３と、この本体３内にあって、複数の接続部２１、２１、２１、２１の内、隣接する接続部の接触を防止する電気絶縁性の第１の壁３１ａと、本体３内にあって、複数のコンタクト部２２、２２、２２、２２の内、隣接するコンタクト部の接触を防止する電気絶縁性の第２の壁３１ｂとを備え、この第２の壁３１ｂと第１の壁３１ａは、本体１に一体的に形成されると共に、複数のケーブルＣ１、Ｃ２、Ｃ３、Ｃ４の長手方向に平行に形成されているものである。【選択図】図４
2014078462.tif 000002
【特許請求の範囲】
【請求項１】
複数のケーブルの芯線の先端を接続した複数の接続部と、複数のコンタクト部を有するケーブル結合体と、
このケーブル結合体を収納する本体と、
この本体内にあって、前記複数の接続部の内、隣接する接続部の接触を防止する電気絶縁性の第１の壁と、
前記本体内にあって、前記複数のコンタクト部の内、隣接するコンタクト部の接触を防止する電気絶縁性の第２の壁とを備え、
この第２の壁と前記第１の壁は、前記本体に一体的に形成されると共に、前記複数のケーブルの長手方向に平行に形成されている
ことを特徴とするコネクタ。
【請求項２】
複数のケーブルの外周を覆うと共に、先端を本体に当接する外被と、
この外被の外周に設けられた溝部とを備え、
前記外被の先端より前記複数のケーブルは、突出し、
第１の壁と第２の壁は前記本体に一体的に形成された壁部で、この壁部は前記本体の中央に位置し、
前記第１の壁の複数の接続部を介して対向する面はなく、開放され、
この開放された第１の壁の複数の接続部は、前記複数のケーブルの外側に位置した電気絶縁性のリテーナの覆い部で覆われ、
前記リテーナと前記本体とは、前記リテーナの係止部が前記本体に設けた被係止部に係止し、
前記本体と前記リテーナと前記本体に当接する外被の周囲は、樹脂で接合され、
前記溝部に前記樹脂が充填されている
ことを特徴とする請求項１記載のコネクタ。
【請求項３】
複数のケーブルの外周を覆う外被を備え、
前記外被の先端より前記複数のケーブルは、突出し、
第１の壁と第２の壁は前記本体に一体的に形成された壁部で、この壁部は前記本体の中央に位置し、
前記第１の壁の複数の接続部を介して対向する面はなく、開放され、
この開放された第１の壁の複数の接続部は、前記複数のケーブルの外側に位置した電気絶縁性のリテーナの覆い部で覆われ、
前記リテーナと前記本体とは、前記リテーナの係止部が前記本体に設けた被係止部に係止し、
前記本体と前記リテーナと前記本体に当接する外被の周囲は、樹脂で接合されている
ことを特徴とする請求項１記載のコネクタ。
【請求項４】
コンタクト部は、コネクタがメスコネクタの場合、オスコネクタの挿入部材を受け入れる受入部であり、コネクタがオスコネクタの場合、オスコネクタの挿入部である
ことを特徴とする請求項１〜３の何れかに記載のコネクタ。
【発明の詳細な説明】
【技術分野】
【０００１】
本発明は、コネクタに係り、特に、ケーブル結合体の本体への組み込み作業の容易化と隣接する芯線同士の接触防止を図ったコネクタに関する。
【背景技術】
【０００２】
従来、複数のケーブルを共通の外装で包んで一体にした複合ケーブル用のコネクタがある（特許文献１参照）。
このコネクタ（１０）は、クリンピングターミナル（２０）をハウジング（３０）に側部から装着し、ハウジング（３０）にケース（４０）を被せてコードブッシュ（１１）を樹脂成形するようにしている。
【先行技術文献】
【特許文献】
【０００３】
【特許文献１】特開２００９−２８３３２５号公報
【発明の概要】
【発明が解決しようとする課題】
【０００４】
しかしながら、上述したコネクタ（１０）にあっては、クリンピングターミナル（２０）の突出片状の係着部（２３）をハウジング（３０）の溝穴状の被係着部（３２）に側部から、しかも、クリンピングターミナルは、複数あるため、クリンピングターミナル毎に、行わなければならず、組み込み作業が容易でないという問題点があった。
また、電線（２）からの芯線が特許文献１の図１（ａ）に示されるように、精度良く管理されている場合は、問題がないが、電線（２）からの芯線の露出量が多い状態で配置された場合、隣接する芯線同士がそれぞれ湾曲して配置されているため、該芯線がばらけて、隣接する芯線同士が接触するという問題点があった。
【０００５】
本発明は、上記の問題点を考慮してなされたもので、ケーブル結合体の本体への組み込み作業の容易化と隣接する芯線同士の接触防止を図ったコネクタを提供することを目的とする。
【課題を解決するための手段】
【０００６】
請求項１記載のコネクタは、複数のケーブルの芯線の先端を接続した複数の接続部と、複数のコンタクト部を有するケーブル結合体と、このケーブル結合体を収納する本体と、この本体内にあって、前記複数の接続部の内、隣接する接続部の接触を防止する電気絶縁性の第１の壁と、前記本体内にあって、前記複数のコンタクト部の内、隣接するコンタクト部の接触を防止する電気絶縁性の第２の壁とを備え、この第２の壁と前記第１の壁は、前記本体に一体的に形成されると共に、前記複数のケーブルの長手方向に平行に形成されているものである。
【０００７】
また、請求項２記載のコネクタは、請求項１記載のコネクタにおいて、複数のケーブルの外周を覆うと共に、先端を本体に当接する外被と、この外被の外周に設けられた溝部とを備え、前記外被の先端より前記複数のケーブルは、突出し、第１の壁と第２の壁は前記本体に一体的に形成された壁部で、この壁部は前記本体の中央に位置し、前記第１の壁の複数の接続部を介して対向する面はなく、開放され、この開放された第１の壁の複数の接続部は、前記複数のケーブルの外側に位置した電気絶縁性のリテーナの覆い部で覆われ、前記リテーナと前記本体とは、前記リテーナの係止部が前記本体に設けた被係止部に係止し、前記本体と前記リテーナと前記本体に当接する外被の周囲は、樹脂で接合され、前記溝部に前記樹脂が充填されているものである。
【０００８】
また、請求項３記載のコネクタは、請求項１記載のコネクタにおいて、複数のケーブルの外周を覆う外被を備え、前記外被の先端より前記複数のケーブルは、突出し、第１の壁と第２の壁は前記本体に一体的に形成された壁部で、この壁部は前記本体の中央に位置し、前記第１の壁の複数の接続部を介して対向する面はなく、開放され、この開放された第１の壁の複数の接続部は、前記複数のケーブルの外側に位置した電気絶縁性のリテーナの覆い部で覆われ、前記リテーナと前記本体とは、前記リテーナの係止部が前記本体に設けた被係止部に係止し、前記本体と前記リテーナと前記本体に当接する外被の周囲は、樹脂で接合されているものである。
【０００９】
また、請求項４記載のコネクタは、請求項１〜３の何れかに記載のコネクタにおいて、コンタクト部は、コネクタがメスコネクタの場合、オスコネクタの挿入部材を受け入れる受入部であり、コネクタがオスコネクタの場合、オスコネクタの挿入部である。
【発明の効果】
【００１０】
請求項１記載のコネクタによれば、複数のコンタクト部の内、隣接するコンタクト部の接触を防止する電気絶縁性の第２の壁と複数の接続部の内、隣接する接続部の接触を防止する電気絶縁性の第１の壁は、本体に一体的に形成されると共に、前記複数のケーブルの長手方向に平行に形成されているために、本体内にケーブル結合体の複数のコンタクト部をスムーズに挿入することができ、組み込み作業を容易にし、
しかも、ケーブルの芯線の先端を接続する接続部から本体の外側へ向かうケーブルを直線状に導くこともでき、ケーブルに曲げがない分、コンパクトなコネクターを得ることができると共に、従来生じていたケーブルの芯線の一部がばらけて、隣接するケーブルの芯線同士の接触をも防止することができる。
【００１１】
また、請求項２記載のコネクタによれば、上述した請求項１記載の発明の効果に加え、ケーブルの芯線の先端を接続した接続部から本体の外側へ向かうケーブルを直線状に導くこともでき、ケーブルに曲げがない分、従来生じていたケーブルの芯線の一部がばらけて、隣接するケーブルの芯線同士の接触をも防止することができ、しかも、複数の接続部は、第１の壁とリテーナの覆い部で覆われ、隣接するケーブルの芯線同士の接触を防止することができ、更に、本体とリテーナと前記本体に当接する外被の周囲は、樹脂で接合され、前記溝部に前記樹脂が充填されているため、本体とリテーナと外被を強固に樹脂で結合することができる。
【００１２】
また、請求項３記載のコネクタによれば、上述した請求項１記載の発明の効果に加え、ケーブルの芯線の先端を接続した接続部から本体の外側へ向かうケーブルを直線状に導くこともでき、ケーブルに曲げがない分、ケーブルの芯線の一部がばらけて、隣接するケーブルの芯線同士の接触をも防止することができ、しかも、複数の接続部は、第１の壁とリテーナの覆い部で覆われ、隣接するケーブルの芯線同士の接触を防止することができる。
【図面の簡単な説明】
【００１３】
【図１】図１は、本発明の一実施例のコネクタの概略的正面図である。
【図２】図２は、図１のコネクタの背面側から見た概略的斜視図である。
【図３】図３は、図１のＡ−Ａ線による概略的断面図である。
【図４】図４は、図１のＢ−Ｂ線による概略的断面図である。
【図５】図５は、図１のコネクタを分解して示す概略的斜視図である。
【図６】図６は、図５のケーブル結合体の一部の概略的図である。
【図７】図７は、図６のケーブル結合体にケーブルの芯線の先端を接続する前の状態を示す概略的図である。
【図８】図８は、図５のリテーナが本体に結合する前の状態を示す概略的図である。
【図９】図９は、図５を斜めに見た概略的斜視図である。
【図１０】図１０は、図９のリテーナが本体に結合した状態の概略的斜視図である。
【発明を実施するための形態】
【００１４】
本発明の一実施例のコネクタを図面（図１乃至図１０）を参照して説明する。  
図１に示すＦは、芯線の接続部が凹になっているコネクタ（例えば、メスコネクタ）で、
コネクタＦは、
複合ケーブル１と、
この複合ケーブル１の複数のケーブルＣ１、Ｃ２、Ｃ３、Ｃ４の芯線の先端を接続    した複数の接続部２１、２１、２１、２１と、オスコネクタＭの複数の挿入部Ｐ(挿    入部Ｐは、図５乃至図７記載のピンである。)を受け入れる複数のコンタクト部２２    、２２、２２、２２を有するケーブル結合体２と、
ケーブル結合体２を収納する本体３と、リテーナ４と、複合ケーブル１、本体３、    リテーナ４とを樹脂で接合する樹脂体５とを有する。
【００１５】
なお、上述した接続部２１は、例えば、図５、図６に示すように、圧着して接合する。ケーブルＣ２、Ｃ３、Ｃ４の芯線の先端も、ケーブルＣ１の芯線の先端と同様にして接合される。
また、上述した実施例のコンタクト部２２、２２、２２、２２は、コネクタＦがメスコネクタの場合、オスコネクタの挿入部Ｐを受け入れる受入部として説明したが、本願発明のコネクタＦにあっては、これに限らず、コネクタＦがオスコネクタの場合、上述した実施例のコンタクト部２２、２２、２２、２２は、図示しないが、オスコネクタの挿入部（挿入部は、例えば、ピンである。）となる。
【００１６】
本体３は、図３、図４、図８及び図９に示すように、樹脂［例えば、（PBT（ポリブチレンテレフタレート）樹脂］で形成され、中央に、ケーブル結合体２の複数の接続部２１、２１、２１、２１、複数の受入部２２、を受け入れる通路が形成され、該通路の内壁の一部は、第１の壁３１ａ、第２の壁３１ｂで構成され、前記通路の外側に被係止部３ａが設けられている。
リテーナ４は、図８及び図９に示すように、樹脂［例えば、（PBT（ポリブチレンテレフタレート）樹脂］で形成されると共に、複合ケーブル１を保護するもので、先端に本体３の被係止部３ａに係止する係止部４ａを、中央に複合ケーブル１を通す開口部を、該開口部に臨むように覆い部４ｂ、４ｂ、４ｂ、４ｂを、それぞれ有している。
複合ケーブル１は複数のケーブルＣ１、Ｃ２、Ｃ３、Ｃ４の外周を共通のリテーナ４で覆い、図３、図４、図８に示す１１ａは、外被１１の外周に設けられた溝部である。
この溝部１１ａは、リテーナ４の係止部４ａを本体３に設けた被係止部３ａに係止させた後(図３、図８及び図１０参照)、樹脂を流入させて樹脂体５で接合した際、溝部１１ａに前記樹脂を充填させることにより、本体３とリテーナ４と外被１１を強固に樹脂で結合させる機能を有するものである（図３参照）。
なお、外被１１の先端１１ｂは、図３に示すように、本体３に当接し、複数のケーブルＣ１、Ｃ２、Ｃ３、Ｃ４は、外被１１の先端１１ｂより突出している。
【００１７】
また、図３に示す３１ａは、本体３内にあって、複数の接続部２１の内、隣接する接続部の接触を防止する電気絶縁性の第１の壁で、３１ｂは、本体３内にあって、複数のコンタクト部２２の内、隣接するコンタクト部２２の接触を防止する電気絶縁性の第２の壁で、この第２の壁３２ｂと第１の壁３１ａは、本体３に一体的に形成されると共に、図３に複数のケーブルＣ１、Ｃ２、Ｃ３、Ｃ４の長手方向に平行に形成され、ケーブル結合体２の複数の受入部２２を案内する直線状のガイドを形成している。
そのため、本体３内にケーブル結合体２の複数の受入部２２をスムーズに挿入することができ、組み込み作業を容易にし、
しかも、ケーブルＣ１、Ｃ２、Ｃ３、Ｃ４の芯線の先端を接続する接続部２１から本体３の外側へ向かうケーブルを直線状に導くこともでき、ケーブルＣ１、Ｃ２、Ｃ３、Ｃ４に曲げがない分、コンパクトなコネクタＦを得ることができると共に、従来生じていたケーブルＣ１、Ｃ２、Ｃ３、Ｃ４の芯線の一部がばらけて、隣接するケーブルＣ１、Ｃ２、Ｃ３、Ｃ４の芯線同士の接触をも防止することができる。
そして、第１の壁３１ａの複数の接続部２１を介して対向する面はなく、開放され（通路の一部が欠けている図９参照）、この開放された第１の壁３１ａの複数の接続部２１は、複数のケーブルＣ１、Ｃ２、Ｃ３、Ｃ４の外側に位置した電気絶縁性のリテーナ４の覆い部４ｂ、４ｂ、４ｂ、４ｂで覆われるようになっている（図４及び図９参照）。
そのため、複数の接続部２１は、第１の壁３１ａとリテーナ４の覆い部４ｂ、４ｂ、４ｂ、４ｂ（図９参照）で覆われ、隣接するケーブルＣ１、Ｃ２、Ｃ３、Ｃ４の芯線同士の接触を防止することができる。
なお、上述した第１の壁３１ａと第２の壁３１ｂは本体３に一体的に形成された壁部３１で、この壁部３１は本体３の中央に位置している。
【００１８】
また、上述した実施例においては、第１の壁３１ａの複数の接続部２１を介して対向する面はなく、開放され（図９参照）るようにしたが、つまり、図８及び図９に示すように、ケーブル結合体２の複数の受入部２２、２２、２２、２２、ケーブルＣ１、Ｃ２、Ｃ３、Ｃ４の芯線の先端を接続した接続部２１を受け入れる４つの通路の外側であって、複数の接続部２１に対応する部位を開放したが、図示しないが、ケーブル結合体２の複数のケーブルＣ１、Ｃ２、Ｃ３、Ｃ４の芯線の先端を接続する複数の接続部２１、２１、２１、２１と、複数のコンタクト部２２、２２、２２、２２の周囲のすべて本体３に設けた第１の壁３１ａと第２の壁３２ｂとで覆うようにした４つの通路で形成しても良い。
また、リテーナ４の中央に設けた開口部を外被１１を通すようにしたが、図示しないが、リテーナ４を分割（例えば、２分割）し、分割したリテーナを外被１１の外側から近づくようにして、分割したリテーナを結合させるようにしても良い。
【符号の説明】
【００１９】
Ｆ      コネクタ
Ｃ１    ケーブル
Ｃ２    ケーブル
Ｃ３    ケーブル
Ｃ４    ケーブル
２      ケーブル結合体
２１    接続部
２２    コンタクト部
３      本体
３１ａ  第１の壁
３１ｂ  第２の壁
【図１】
2014078462.tif 000003
【図２】
2014078462.tif 000004
【図３】
2014078462.tif 000005
【図４】
2014078462.tif 000006
【図５】
2014078462.tif 000007
【図６】
2014078462.tif 000008
【図７】
2014078462.tif 000009
【図８】
2014078462.tif 000010
【図９】
2014078462.tif 000011
【図１０】
2014078462.tif 000012